(57)【要約】【課題】  折畳み式ごみ箱として安定した形状維持が可能で、多数のごみ箱の併置および積載を可能にしてごみの分別を容易にした折畳み式分別用ごみ箱を提供する。【解決手段】  各交差フレーム１、２および３、４の上端部にごみ投入口１９を側面に開口した箱状の積重ね用アタッチメント１７を載置したことにより、各交差フレーム１、２および３、４の上端部に積重ね用アタッチメント１７を載置すると同時にフレーム１、２および３、４の折畳み方向への挙動が確実に抑制されて、妄りに折り畳まれることがなく安定してごみ箱すなわちごみ袋保持具としての形状維持がなされる。しかも、この確実な形状維持と同時に、該積重ね用アタッチメント１７を介して本来不安定な折畳み式交差フレーム１、２および３、４を多段に積載することを可能にし、積載した場合でも積重ね用アタッチメント１７の側面の投入口１９から分別すべきごみの投入が可能となる。【選択図】  図１
2005350221.tif 000002
【特許請求の範囲】
【請求項１】
略中央部がヒンジ軸により軸支されて折畳み自在に構成された一対の交差フレームが所定間隔を置いて連結併置され前記各交差フレームの上端部にごみ袋の開口４隅部を係止するように構成された折畳み式分別用ごみ箱において、前記各交差フレームの上端部にごみ投入口を側面に開口した箱状の積重ね用アタッチメントを載置したことを特徴とする折畳み式分別用ごみ箱。
【請求項２】
前記各交差フレームの上端部に積重ね用突起を形成するとともに、積重ね用アタッチメントの底部の前記積重ね用突起に対応する部位に積重ね用溝を形成し、さらに各交差フレームの端部近傍の側面に連結部を形成したことを特徴とする請求項１に記載の折畳み式分別用ごみ箱。
【請求項３】
前記各交差フレームの下端部に積重ね用溝を形成したことを特徴とする請求項１または２に記載の折畳み式分別用ごみ箱。
【請求項４】
前記積重ね用アタッチメントの天板の４隅に積重ね用突起を形成するとともに、これらの積重ね用突起に別組の各交差フレームの下端部の積重ね用溝を係止することにより、積重ね用アタッチメントを介して複数のごみ箱を積載するように構成したことを特徴とする請求項１から３のいずれかに記載の折畳み式分別用ごみ箱。
【請求項５】
前記各交差フレームの下端部の積重ね用溝に係合する積重ね用突起を４隅に形成した台座を前記各交差フレームの下部に配設したことを特徴とする請求項１から４のいずれかに記載の折畳み式分別用ごみ箱。
【請求項６】
前記積重ね用アタッチメントの下部にごみ袋取付枠を着脱自在に取り付けたことを特徴とする請求項１から５のいずれかに記載の折畳み式分別用ごみ箱。
【発明の詳細な説明】
【技術分野】
【０００１】
本発明は、略中央部がヒンジ軸により軸支されて折畳み自在に構成された一対の交差フレームが所定間隔を置いて連結併置され前記各交差フレームの上端部にごみ袋の開口４隅部を係止するように構成された折畳み式分別用ごみ箱に関する。
【背景技術】
【０００２】
近年のように、食生活が充実し多大なる物資が満ち溢れてくると、各家庭は言うに及ばず、各種の事業所、高速道路のサービスエリア、病院、鉄道の駅舎等人々が多く集まるところでは、多量のごみが放出され、地球環境の劣化や資源の枯渇等の問題を招いている。このようなことから、ごみの分別収集は各地域にとって特に重要な問題となっている。特に小規模の店舗や個人家庭のようにあまりごみ箱に多額の金額やスペースを割けない施設では、近年のような多種類にわたるごみの分別に対応することが困難になってきている。個人の家庭、さらには工事現場やキャンプ、運動会等のイベント会場等では、設置や撤去が容易な折畳み式の分別用のごみ箱が望まれている。一方、スーパー店舗やコンビニエンスストアで配布されるビニール袋等が低廉で気軽に利用できるごみ袋として多用されている。これらのごみ袋を多数準備して他種類のごみの分別に対応しているのが現状である。これらの軟質のビニール袋等を手軽に保持できるものとして、折畳み可能なごみ袋保持具が提案されている（例えば下記特許文献１参照）。
【特許文献１】特開平９−１３２３０３号公報（請求項１参照）
【発明の開示】
【発明が解決しようとする課題】
【０００３】
前記特許文献１に開示された折畳み式のごみ箱（ごみ袋保持具）は、不使用時にはコンパクトに折り畳んでおくことができることから、小規模の事業所や個人の家庭において多用されている。特許文献１に開示された従来のごみ袋保持具を簡単に説明すると、図４に示したように、２つの支柱３１、３２が横軸３３により交差状に開閉自在に軸支された一対のフレーム３４と、対向配置されたフレーム３４を連結する４つの連結板３５〜３８とを備える。各連結板３５〜３８は各支柱３１、３２の端部に係脱自在とされ、一対のフレーム３４と４つの連結板３５〜３８とを係合して組み立てる。上部の連結板３５にはごみ袋Ｃの開口部Ｃ１を覆う文字、図形、模様等を表示可能な蓋体４５が吊支される。フレーム３４、連結板３５〜３８および蓋体４５は環境に優しい材料を使用する。
【０００４】
このような構成によって、文字等を表示可能な可撓性材料によって蓋体４５が設けられているので、ごみ袋Ｃの開口部を覆うことによってごみ袋Ｃの内部のごみが周囲から見えることなく景観を損なうことがない。さらに風等でごみ袋Ｃ内のごみが飛ばされることを防止でき、折畳み式のごみ袋保持具としての機能を高めることができることとなった。しかしながら、図４に示した従来のごみ袋保持具は安価で簡便であるものの、多種類のごみの分別のためにはいま一つ充分に対応できず、また、折畳み方向に移動し易く不安定であった。
【０００５】
そこで本発明では、前記従来の折畳み式分別用ごみ箱の課題を解決して、折畳み式ごみ箱として安定した形状維持が可能で、多数のごみ箱の併置および積載を可能にしてごみの分別を容易にした折畳み式分別用ごみ箱を提供することを目的とする。
【課題を解決するための手段】
【０００６】
本発明は、略中央部がヒンジ軸により軸支されて折畳み自在に構成された一対の交差フレームが所定間隔を置いて連結併置され前記各交差フレームの上端部にごみ袋の開口４隅部を係止するように構成された折畳み式分別用ごみ箱において、前記各交差フレームの上端部にごみ投入口を側面に開口した箱状の積重ね用アタッチメントを載置したことを特徴とする。また本発明は、前記各交差フレームの上端部に積重ね用突起を形成するとともに、積重ね用アタッチメントの底部の前記積重ね用突起に対応する部位に積重ね用溝を形成し、さらに各交差フレームの端部近傍の側面に連結部を形成したことを特徴とする。また本発明は、前記各交差フレームの下端部に積重ね用溝を形成したことを特徴とする。また本発明は、前記積重ね用アタッチメントの天板の４隅に積重ね用突起を形成するとともに、これらの積重ね用突起に別組の各交差フレームの下端部の積重ね用溝を係止することにより、積重ね用アタッチメントを介して複数のごみ箱を積載するように構成したことを特徴とする。また本発明は、前記各交差フレームの下端部の積重ね用溝に係合する積重ね用突起を４隅に形成した台座を前記各交差フレームの下部に配設したことを特徴とする。また本発明は、前記積重ね用アタッチメントの下部にごみ袋取付枠を着脱自在に取り付けたことを特徴とするもので、これらを課題解決のための手段とするものである。
【発明の効果】
【０００７】
このような構成により、本発明は、略中央部がヒンジ軸により軸支されて折畳み自在に構成された一対の交差フレームが所定間隔を置いて連結併置され前記各交差フレームの上端部にごみ袋の開口４隅部を係止するように構成された折畳み式分別用ごみ箱において、前記各交差フレームの上端部にごみ投入口を側面に開口した箱状の積重ね用アタッチメントを載置したことにより、各交差フレームの上端部に積重ね用アタッチメントを載置すると同時にフレームの折畳み方向への挙動が確実に抑制されて、妄りに折り畳まれることがなく安定してごみ箱すなわちごみ袋保持具としての形状維持がなされる。しかも、この確実な形状維持と同時に、該積重ね用アタッチメントを介して本来不安定な折畳み式交差フレームを多段に積載することを可能にし、さらに、多段に積載した場合に、積重ね用アタッチメントの側面の投入口から分別すべきごみの投入が可能となる。
【０００８】
また、前記各交差フレームの上端部に積重ね用突起を形成するとともに、積重ね用アタッチメントの底部の前記積重ね用突起に対応する部位に積重ね用溝を形成し、さらに各交差フレームの端部近傍の側面に連結部を形成した場合は、各交差フレームと積重ね用アタッチメントとの係合を確実に行えると同時に、これらの係合部にごみ袋の開口部近傍を挟持すれば、交差フレーム等に別途に格別のごみ袋係止部を形成する必要がない。さらに、各交差フレームの側面同士を接合して、連結部を連結することで、分別すべきごみの種類の増加に応じてごみ箱を連結併置することができる。さらに、前記各交差フレームの下端部に積重ね用溝を形成した場合は、積重ね用アタッチメントを介した多段積載や下部への台座の配設を可能にする。
【０００９】
さらにまた、前記積重ね用アタッチメントの天板の４隅に積重ね用突起を形成するとともに、これらの積重ね用突起に別組の各交差フレームの下端部の積重ね用溝を係止することにより、積重ね用アタッチメントを介して複数のごみ箱を積載するように構成した場合は、積重ね用アタッチメントを介した交差フレームからなるごみ箱の多段の積載が安定して可能となる。また、前記各交差フレームの下端部の積重ね用溝に係合する積重ね用突起を４隅に形成した台座を前記各交差フレームの下部に配設した場合は、交差フレームから構成される折畳み式ごみ箱の形状維持が確実になされるとともに、交差フレームの下端部の集中荷重を抑制して面圧を減じ床面等に対する負担が軽減される。さらに、前記積重ね用アタッチメントの下部にごみ袋取付枠を着脱自在に取り付けた場合は、各交差フレームの上部に積重ね用アタッチメントを装着したままでも、ごみ袋取付枠を用いてごみ袋を後付けにて容易に取り付けることが可能となる。
【発明を実施するための最良の形態】
【００１０】
以下、本発明の実施例を図面に基づいて詳細に説明する。図１は本発明の折畳み式分別用ごみ箱の第１実施例を示す全体斜視図である。図２は本発明の折畳み式分別用ごみ箱の第２実施例を示すもので積重ね用アタッチメントの底部斜視図である。図３は交差フレームのヒンジ軸近傍の要部斜視図である。本発明の基本的な構成は、図１に示すように、略中央部がヒンジ軸５、６により軸支されて折畳み自在に構成された一対の交差フレーム１、２および３、４が所定間隔を置いて連結（連結棒７、８、９、１０による）併置され前記各交差フレーム１、２および３、４の上端部にごみ袋２２の開口４隅部を係止するように構成された折畳み式分別用ごみ箱において、前記各交差フレーム１、２および３、４の上端部にごみ投入口１９を側面に開口した箱状の積重ね用アタッチメント１７を載置したことを特徴とする。
【実施例１】
【００１１】
図１は本発明の折畳み式分別用ごみ箱の第１実施例を示す全体斜視図で、ごみ袋２２の保持具として機能するごみ箱のフレームを構成する交差フレーム１、２および３、４のそれぞれは、略中央部がヒンジ軸５、６により軸支されてＸ状に交差して配置されて折畳み自在に構成される。これら交差フレーム１、２および３、４は所定間隔をおいて配置される。該所定間隔は交差フレーム１、２および３、４の上下端部近傍間に渡設された上連結棒７、８および下連結棒９、１０により画定される。交差フレーム１、２および３、４の交差角度は交差フレーム１、２の下端部間および交差フレーム３、４の下端部間に配設された折畳み枠１１、１２により画定される。各折畳み枠１１および１２は、それぞれ略中央部の折畳み軸１３、１４を中心として曲折自在な一対の第１および第２折畳み枠１１Ａ、１１Ｂおよび１２Ａ、１２Ｂから構成される。これらの折畳み枠１１Ａ、１１Ｂおよび１２Ａ、１２Ｂの端部は前記下連結棒９、１０の両端部に嵌合係止されるが、上連結棒７、８の両端部に嵌合係止されてもよい。
【００１２】
各交差フレーム１、２および３、４の上下端部近傍は、所定の交差角度にて拡開した使用状態にあるときほぼ鉛直方向を向くように幾分曲折して形成される。したがって、各交差フレーム１、２および３、４の上下端部面は略水平に形成される。各交差フレーム１、２および３、４の上端部には係止部を構成する積重ね用突起１５がそれぞれ形成され、各交差フレーム１、２および３、４の下端部には係止部を構成する積重ね用溝１６（図１では符号１６のみが示されている）が形成される。これらの各交差フレーム１、２および３、４により画成される空間内にビニール袋やフレコンパック袋等が収容され、それらの上部開口部の４隅が前記積重ね用突起１５に係止される。なお、符号２９は上連結棒７に吊り下げられたごみの種類を示す表示板を示す。
【００１３】
本発明では、前記各交差フレーム１、２および３、４の上端部にごみ投入口１９を側面に開口した箱状の積重ね用アタッチメント１７を載置した。積重ね用アタッチメント１７は下方が開放された箱状体を呈しており、側面にごみ投入口１９が穿設されている。図１のものは、ごみ投入口１９が右側に配置されているが、交差フレーム１、２および３、４の総合ユニット化のために設けられた連結部２１を避けて、表示板２９と同じ側に配置することもできる。各交差フレーム１、２および３、４の上端部の配置が正方形であれば、積重ね用アタッチメント１７も正方形となり、積重ね用アタッチメント１７の向きは任意である。各交差フレーム１、２および３、４の上端部の配置については、長方形等適宜選定できる。ごみ投入口１９には蝶番３０等により前後に揺動が可能な吊下扉が吊り下げられ、ごみの臭気を遮断するとともに、吊下扉を押して容易にごみを投入することができる。
【００１４】
積重ね用アタッチメント１７において、前記各交差フレーム１、２および３、４の上端部の積重ね用突起１５に整合する底部の部位には、積重ね用溝１６（図１では符号１６のみが示される。図２参照）が形成される。これらの積重ね用突起１５と積重ね用溝１６との係合により、各交差フレーム１、２および３、４と積重ね用アタッチメント１７との係合を確実に行えると同時に、これらの係合部にごみ袋２２の開口部近傍の４隅を挟持すれば、交差フレーム１、２および３、４等に別途に格別のごみ袋係止部を形成する必要がない。天板の４隅には、積重ね用突起１５が形成される。積重ね用アタッチメント１７の積重ね用突起１５に、別組の各交差フレームの下端部の積重ね用溝１６を係止することにより、積重ね用アタッチメント１７を介して複数のごみ箱を積載することができ、積重ね用アタッチメント１７を介した交差フレームからなるごみ箱の多段の積載が安定して可能となる。さらに、前記各交差フレーム１、２および３、４の下端部に積重ね用溝１６（図示省略）を形成した場合は、後述する下部への台座１８の配設を可能にする。
【００１５】
さらに各交差フレーム１、２および３、４の上下端部近傍の側面に連結部２１を形成することにより、各交差フレーム１、２および３、４の側面同士を接合し、隣接する連結部２１同士を連結することで、分別すべきごみの種類の増加に応じてごみ箱を連結併置することができる。好適には連結部２１は孔とされ、これらの孔２１に挿入された連結ボルト等により隣接の交差フレーム１、２および３、４からなるごみ箱が連結される。図１のように、互いに交差する交差フレーム１、２および３、４が通常の板状体を重ね合わせただけの形態では、内側に位置する交差フレーム１と４については板厚分だけ後退した位置にあるため、板厚分だけ突出された突出部に孔２１が形成される。
【００１６】
このような板厚を考慮しなくても済むように構成したものを図３に示す。図３は交差フレームのヒンジ軸近傍の要部斜視図であり、例えば、交差フレーム３と４のヒンジ軸について、ヒンジ孔６Ａを含む交差角度の範囲に渡って、交差フレーム３と４の互いの重合面に板厚の略半分の深さの軸部切欠き３Ａ（４Ａ）を形成したものである。これにより、交差フレーム３と４の隣接する交差フレームの側面との間に格差が生じることがなく、前記連結部２１を単なる孔２１とすることができる。
【００１７】
また、前記各交差フレーム１、２および３、４の下端部の積重ね用溝１６に係合する積重ね用突起１５を４隅に形成した台座１８を前記各交差フレーム１、２および３、４の下部に配設した場合は、交差フレーム１、２および３、４から構成される折畳み式ごみ箱の形状維持が確実になされるとともに、交差フレーム１、２および３、４の下端部の集中荷重を抑制して面圧を減じ床面等に対する負担が軽減される。
【実施例２】
【００１８】
図２は本発明の折畳み式分別用ごみ箱の第２実施例を示すもので積重ね用アタッチメントの底部斜視図である。本実施例のものは、前記積重ね用アタッチメント１７の下部にごみ袋取付枠２７を着脱自在に取り付けることによって、各交差フレーム１、２および３、４の上部に積重ね用アタッチメント１７を装着したままでも、ごみ袋取付枠２７を用いてごみ袋２２を後付けにて容易に取り付けることを可能にしたものである。積重ね用アタッチメント１７の下部の周囲の４隅に積重ね用溝１６が示されており、これらの積重ね用溝１６に前記各交差フレーム１、２および３、４の上端部の積重ね用突起１５が係止される。下方に開放した箱状体からなる積重ね用アタッチメント１７の下部に、下部開口２４を有するやや小さめの下枠２３を形成し、該下枠２３の内側に蝶番取付溝２５を形成するとともに、その対向する反対側に形成した切欠き切除部に固定具２８を軸支した。固定具２８は内蔵するコイルばね等により下部開口２４の内方側に付勢される
【００１９】
一方、スーパー店舗やコンビニエンスストアで入手できるビニール袋やフレコンパック２２等の上端開口部を巻き付けて装着した方形のごみ袋取付枠２７には、一辺に数個の蝶番２６が設置され、これら蝶番２６の各舌片を前記下枠２３の内側に形成した蝶番取付溝２５に挿入設置するとともに、ごみ袋取付枠２７における対向する他辺２７Ａを前記固定具２８の下端に位置する固定爪２８Ａ上に載置する。このとき、固定具２８の上端を内蔵するコイルばねの復元力に抗して押圧し、固定爪２８Ａを外側に退避させておく。ごみ袋取付枠２７の他辺２７Ａがセットされたら、固定具２８の上端の押圧を解くことで、固定爪２８Ａがごみ袋取付枠２７の他辺２７Ａを捕捉し、ごみ袋取付枠２７が、下枠２３の内側に後付けにても取り付けることができる。ごみ袋取付枠２７の一辺に取り付けられた蝶番２６によって、ごみ袋取付枠２７を揺動させるだけで、ごみ袋２２を取り替えたり、ごみだけを取り出して廃棄することも可能である。
【００２０】
以上、本発明の実施例について説明してきたが、本発明の趣旨の範囲内にて、交差フレームの形状（長方形断面の板状体が好ましいが、断面形状は適宜に選定できる。また、ヒンジ軸部付近を板状体として上下端部近傍を肉厚の円形や多角形断面とすることもできる）、形式および材質（木質、金属、プラスチック等）ならびにヒンジ軸による軸支形態（板状体の単なる重合による軸支形態の他、軸支部近傍の板厚を互いに重合する半分の厚さとする等）、一対の交差フレームの連結棒による間隔保持形態、連結棒の形状（断面形状は円形や角形等）、形式および材質、ごみ袋の形状、材質（ビニール袋、ポリ袋、フレコンパック等）、交差フレームへのごみ袋の係止形態（積重ね用アタッチメントと交差フレーム上端の積重ね用突起との間に挟持させる他、交差フレームに別途の係止部を設置してもよい）、積重ね用アタッチメントの形状（好適には下方に開放された箱状体が採用されるが、臭気等を発生しないごみを収容するものである場合には、下方の他、四方が開放された枠体から構成されてもよい）、形式および材質（木質、金属、プラスチック等）等については適宜選定できる。
【００２１】
また、積重ね用アタッチメントにおけるごみ投入口の形状（方形の他、円形等、数についても２面に穿設してもよい。）、積重ね用突起およびこれに対応する積重ね用溝の形状（係合が容易な円錐形、角錐形等）、交差フレーム側面における連結部の形状（単なる孔の他、互いの交差フレームの重合形態に差がある場合には孔の周囲を突出させる等、また、ごみ箱を構成する交差フレームの一方側を突起、他方側を溝としてこれらを係合させて連結併置させてもよい。）、形式、台座の形状、形式および材質（木質、金属、プラスチック等）、積重ね用アタッチメントの下部の下枠の形状、ごみ袋取付枠の下枠への取付け形態（蝶番の舌片による係止の他、適宜のワンタッチ係止部材による係止等、固定具の形状、形式（コイルばねの復元力によるごみ袋取付枠の保持の他、適宜の固定方式によるごみ袋取付枠の保持等）、本発明のごみ箱が使用される施設（家庭、小規模の事業所、キャンプ、運動会、催し物会場、工事現場等）等についても適宜選定できる。
【図面の簡単な説明】
【００２２】
【図１】本発明の折畳み式分別用ごみ箱の第１実施例を示す全体斜視図である。
【図２】本発明の折畳み式分別用ごみ箱の第２実施例を示すもので、積重ね用アタッチメントの底部斜視図である。
【図３】同、交差フレームのヒンジ軸近傍の要部斜視図である。
【図４】従来のごみ袋保持具の全体斜視図である。
【符号の説明】
【００２３】
１、２      左交差フレーム
３、４      右交差フレーム
５        左ヒンジ軸
６        右ヒンジ軸
７、８      上連結棒
９、１０    下連結棒
１１        左折畳み枠
１２        右折畳み枠
１３        左折畳み軸
１４        右折畳み軸
１５        積重ね用突起（係止部）
１６        積重ね用溝（係止部）
１７        積重ね用アッタチメント
１８        台座
１９        ごみ投入口
２０        吊下扉
２１        連結部（孔等）
２２        ごみ袋
２３        下枠
２５        蝶番取付溝
２６        蝶番
２７        ごみ袋取付枠
２７Ａ      他辺
２８        固定具
２８Ａ      固定爪
【図１】
2005350221.tif 000003
【図２】
2005350221.tif 000004
【図３】
2005350221.tif 000005
【図４】
2005350221.tif 000006